(57)【要約】【課題】美観に優れた肘掛け装置を提供する。【解決手段】肘掛け装置２７は、ベース部２８と肘支柱部３０と肘当て部２９とを備えており、ベース部２８は、ボルト３１によって座アウターシェル８の側部下面に固定されている。座アウターシェル８の上面には補強金具１６が配置されており、補強金具１６に設けた肘取付け部３２に上からボルト３１が挿通されて、ボルト３１は、ベース部２８に内蔵したナット板にねじ込まれている。締結手段は座アウターシェル８の下方に露出しないため、美観に優れている。【選択図】図７
2020039503.tif 000002
【特許請求の範囲】
【請求項１】
座を支持する座アウターシェルと、前記座アウターシェルの側部下面にボルトで締結された肘掛け装置とを備えており、
前記ボルトは、前記座アウターシェルに上方から挿通されている一方、
前記肘掛け装置のベース部には、前記ボルトが上からねじ込まれるナット部が、下方から視認できない非露出状態に設けられている、
椅子。
【請求項２】
前記座アウターシェルの上面に、前記ボルトによって共締めされる補強金具が配置されている、
請求項１に記載した椅子。
【請求項３】
前記補強金具は左右に長い形態であり、前記補強金具に、背もたれの下端部が連結されている、
請求項１又は２に記載した椅子。
【請求項４】
前記ナット部は、前記肘掛け装置を構成するベース部とは別体に形成されたナット板で構成されており、前記ベース部に、前記ナット板を挿入セットするポケット部が、前記座の内側に向けて開口するように形成されている、
請求項１〜３のうちのいずれかに記載した椅子。
【請求項５】
前記肘掛け装置は、座アウターシェルに重なったベース部と、着座した人の肘が載る肘当て部と、前記ベース部と肘当て部とを繋ぐ肘支柱部とから成っていて、前記肘支柱部は前記座アウターシェルの後ろ側から立ち上がって、前記肘当て部は手前に向けて片持ち梁状に延びており、
前記ベース部は、前記椅子の中心側に位置した部位が前後２本のボルトで締結されて、外側に位置した部位が１本のボルトで締結されている、
請求項１〜４のうちのいずれかに記載した椅子。
【発明の詳細な説明】
【技術分野】
【０００１】
本願発明は、肘掛け装置を備えた椅子に関するものである。
【背景技術】
【０００２】
肘掛け装置は、椅子において一般にオプション品になっており、様々な形態のものがある。肘掛け装置の取付け構造は様々であるが、座を支持する座アウターシェルに締結することも多い（肘掛け装置を座アウターシェルにしか取付けできない場合もある。）。
【０００３】
肘掛け装置の取付けには、一般にボルト（ビス）が使用されており、特許文献１では、肘掛け装置の基端部にボルトを下方から挿通して、ボルトを、座アウターシェルの上面に重ね配置した補強金具にねじ込んでいる。
【０００４】
また、特許文献１では、肘掛け装置のうち座アウターシェルに重なるベース部は平面視で三角形状になっていて、このベース部を３本のボルトで締結しているが、３本のボルトは、ベース部が座アウターシェルの内側に向けて幅狭となる平面視で三角形状であることに対応して、座アウターシェルのうち外側寄り部位には前後２本配置して、座アウターシェルの内側に寄った部位に１本配置している。
【先行技術文献】
【特許文献】
【０００５】
【特許文献１】特開平０７−２４６１２７号公報
【発明の概要】
【発明が解決しようとする課題】
【０００６】
肘掛け装置の基端部の下面は視認しにくいが、全く人目に触れない訳ではない。例えば、椅子に腰掛けた人のように視線が低くなっていると、ベース部の下面が目に触れることがある。従って、特許文献１のような構造では、ボルトの頭や取付け穴が人目に触れて美観を損なうおそれがあった。
【０００７】
本願発明は、このような現状に鑑み成されたものであり、肘掛け装置付き椅子において美観を向上させるなど、品質を高めた椅子を提供せんとするものである。
【課題を解決するための手段】
【０００８】
本願発明は様々な構成を含んでおり、その典型を各請求項で特定している。このうち請求項１の発明は、
「座を支持する座アウターシェルと、前記座アウターシェルの側部下面にボルトで締結された肘掛け装置とを備えており、
前記ボルトは、前記座アウターシェルに上方から挿通されている一方、
前記肘掛け装置のベース部には、前記ボルトが上からねじ込まれるナット部が、下方から視認できない非露出状態に設けられている」
という構成になっている。
【０００９】
請求項２の発明は、請求項１において、
「前記座アウターシェルの上面に、前記ボルトによって共締めされる補強金具が配置されている」
という構成になっている。
【００１０】
請求項３の発明は、請求項１又は２において、
「前記補強金具は左右に長い形態であり、前記補強金具に、背もたれの下端部が連結されている」
という構成になっている。
【００１１】
請求項４の発明は、請求項１〜３のうちのいずれかにおいて、
「前記ナット部は、前記肘掛け装置を構成するベース部とは別体に形成されたナット板で構成されており、前記ベース部に、前記ナット板を挿入セットするポケット部が、前記座の内側に向けて開口するように形成されている」
という構成になっている。
【００１２】
請求項５の発明は、請求項１〜４のうちのいずれかにおいて、
「前記肘掛け装置は、座アウターシェルに重なったベース部と、着座した人の肘が載る肘当て部と、前記ベース部と肘当て部とを繋ぐ肘支柱部とから成っていて、前記肘支柱部は前記座アウターシェルの後ろ側から立ち上がって、前記肘当て部は手前に向けて片持ち梁状に延びており、
前記ベース部は、前記椅子の中心側に位置した部位が前後２本のボルトで締結されて、外側に位置した部位が１本のボルトで締結されている」
という構成になっている。
【発明の効果】
【００１３】
本願発明では、肘掛け装置を締結するボルトは座アウターシェルに上から挿通されており、肘掛け装置に内蔵されて外部に露出しないナット部にねじ込まれている。従って、肘掛け装置のベース部を下方から覗いても、ボルトやナット部やボルト挿通穴が人目に触れることはない。従って、美観を向上できる。また、着座した人が肘掛け装置のベース部を手で触ることが有り得るが、ボルトの先端やナット部やボルト挿通穴が手先に触れることはないため、人に違和感を与えることもない。
【００１４】
請求項２のように、座アウターシェルの上面に補強金具を配置すると、肘掛け装置の取付け強度を格段に向上できる。従って、座アウターシェルが合成樹脂製であっても、必要な強度を確保することができる。
【００１５】
補強金具は肘掛け装置の取付けの専用品とすることもできるが、請求項３のように背もたれの連結に兼用すると、部材点数の増大を抑制して設計の自由性を向上できる。
【００１６】
また、請求項４のように肘掛け装置のベース部にナット板を内蔵すると、肘掛け装置が合成樹脂製であっても、強固に締結することができる。また、ナット板を挿入したポケット部は座の内側に向いて開口しているため、ポケット穴が人目に振れることもない。従って、ナット板を設けたことに起因して外観の悪化を招来することはない。
【００１７】
さて、肘掛け装置のうち肘当て部を前端が自由端になった片持ち梁状に形成すると、座の左右側部をスッキリとさせてシンプルな外観を呈することができるが、肘当て部は片持ち梁状になっているため、肘掛け装置には、使用者による下向き荷重により、肘支柱を手前に倒そうとするモーメントが生じる。
【００１８】
そして、前倒しのモーメントは、ボルトを前後に２本配置することによって支持できるが、仮に、２本のボルトが特許文献１のように座アウターシェルの外側寄り部位に配置されていると、座アウターシェルの支持強度は外縁にいくほど弱くなるため、肘掛け装置の支持強度を高くすることに限度があるおそれがある。
【００１９】
これに対して請求項５の構成を採用すると、２本のボルトは座アウターシェルの中心側に寄っているため、肘掛け装置に作用したモーメントをしっかりと支持して、高い取付け強度を確保することができる。
【図面の簡単な説明】
【００２０】
【図１】椅子の外観を示す図で、（Ａ）は斜視図、（Ｂ）は正面図、（Ｃ）は側面図である。
【図２】（Ａ）は分離斜視図、（Ｂ）は下方から見た斜視図である。
【図３】（Ａ）は背板の下端の取付け構造を示す斜視図、（Ｂ）は背板の取付け手順の一部を示す分離斜視図である。
【図４】（Ａ）は図３（Ａ）の IV-IV視断面図、（Ｂ）は背もたれの下部の連結構造を示す分離斜視図である。
【図５】（Ａ）は要部底面図、（Ｂ）は要部平面図である。
【図６】（Ａ）は要部の側面図、（Ｂ）は要部の背面図である。
【図７】（Ａ）は要部の斜視図、（Ｂ）は要部の分離斜視図である。
【図８】（Ａ）は図５（Ｂ）の VIII-VIII視断面図、（Ｂ）は下方から見た分離斜視図である。
【発明を実施するための形態】
【００２１】
(1).基本構造
次に、本願発明の実施形態を説明する。本願発明は、オフィス等で使用されている回転椅子に適用している。まず、図１〜３を参照して、椅子の概要を説明する。椅子は必須要素として、座１と背もたれ２と脚装置３とを備えている。脚装置３は、５本の枝杆と脚支柱４（ガスシリンダ）を備えており、各枝杆の先端にキャスタを設けている。
【００２２】
図２に示すように、脚支柱４の上端に平面視四角形のベース５を嵌着している。他方、例えば図４のとおり、座１は、合成樹脂製の座インナーシェル６に座クッション７を張って表皮材で覆った構造であり、座インナーシェル６は、合成樹脂製の座アウターシェル８に連結されている。そして、図２（Ｂ）から理解できるように、座アウターシェル８に、下向きに開口した底面視角形のボス部８ａが形成されており、ボス部８ａとベース５とを互いに嵌め合わせてビスで固定している。なお、座アウターシェル８は、シェル状の座アウター部材又は座受け部材と呼ぶことも可能である。
【００２３】
脚支柱４の上端にはロックを解除するためのプッシュバルブ（図示せず）が突出しており、プッシュバルブは、例えば図３（Ａ）に示す前倒れ回動式の押圧部材９によって押し下げられる。押圧部材９は、座アウターシェル８に回動自在に連結されている。図３（Ａ）のとおり、座アウターシェル８のうち押圧部材９よりも手前の部位には中継リンク１１が水平回動自在に取付けられており、中継リンク１１と押圧部材９とは、両端にボール（図示せず）を設けたワイヤー１２によって連結されている。
【００２４】
図３（Ａ）に一点鎖線で示すように、中継リンク１１には、操作具の一例としての操作ベルト１３の一端が係止されている。図２（Ｂ）に示すように、操作ベルト１３の他端１３ａは、座アウターシェル８に形成したスリット穴１４（図３（Ａ）参照）から下方に延出しており、操作ベルト１３の他端１３ａを引っ張ると、中継リンク１１が水平回動して押圧部材９が下向きに回動し、ガスシリンダのロックが解除される。
【００２５】
図３に示すように、背もたれ２の下端には前向き部１５が一体に形成されている一方、座アウターシェル８の後部上面には、左右長手の金属製補強金具（補強板）１６がビス１７によって固定されており、補強金具１６に形成した左右の軸受け部１８に、背もたれ２の前向き部１５が連結されている。
【００２６】
また、座アウターシェル８の後端には、背もたれ２の後ろに位置した上下長手の背支柱２０が一体に形成されており、背支柱２０の上端部に、背もたれ２のうち左右中間部でかつ上下中途高さ部位が連結されている。背もたれ２は、背支柱２０に対しても僅かに後傾可能に連結されている。なお、図１（Ｃ）に示すように、背支柱２０は、正確には、座アウターシェル８に一体に繋がった前向きのロア部２０ａを有しており、ロア部２０ａの後端から上向きに立ち上がっている。
【００２７】
例えば図４（Ｂ）に示すように、補強金具１６の軸受け部１８は、切り起こしによって形成されており、起立部とその上端から後ろ向き向いて水平片とを有して側面逆Ｌ形の形態になっている。他方、図３（Ａ）に示すように、背もたれ２における前向き部１５の左右両端部には、軸受け部１８に下方から係合する左右長手の支軸部２１が一体に形成されている。また、図４に示すように、座アウターシェル８には、支軸部２１が入り込む逃がし空所２２を形成している。
【００２８】
逃がし空所２２の後ろには、座アウターシェル８の後面を規定する後ろ壁２３が存在しており、背もたれ２の前向き部１５は後ろ壁２３に載っている。かつ、背もたれ２の前向き部１５には、後ろ壁２３の前面に係合する後ろ係合段部２４が形成されている。
【００２９】
従って、背もたれ２の下端は、後ろ係合段部２４が後ろ壁２３の前面に係合することによって後ろ向き移動不能に保持され、更に、支軸部２１が軸受け部１８に下方及び後方から当たることにより、上向き動不能及び後退動不能に保持されている。背もたれ２の支軸部２１は、前向き部１５の後端から下方に段落ちした状態に形成されており、側面視で前後長手の長円形状になっている。
【００３０】
背もたれ２の取付け手順としては、まず、背もたれ２を、図３（Ｂ）に示すように、その前向き部１５が下向き姿勢となるように手前側に大きく倒れた姿勢（非使用姿勢）にしてから、支軸部２１を軸受け部１８と後ろ壁２３との間の空間に嵌め込み、次いで、背もたれ２を使用姿勢に起こし、更に、背もたれ２の上部を背支柱２０の上端部に連結することになる。
【００３１】
詳細は省略するが、背もたれ２を背支柱２０の上端部に連結する構造は、ビスを使用しないスナップ方式になっている。従って、椅子の組み立てを簡単に行うことができる。
【００３２】
(2).肘掛け装置とその取付け構造
次に、本願発明の要点である肘掛け装置２７を、主として図５以下の図面を参照して説明する。本実施形態の肘掛け装置２７は、全体が合成樹脂の一体成型品とされた固定式である。すなわち、肘掛け装置２７は、座アウターシェル８の後ろ側部に固定されるベース部２８と、人の肘が載る肘当て部２９と、両者を繋ぐ肘支柱部３０とで構成されており、肘当て部２９は、肘支柱部３０の上端から片持ち梁状に延びている。従って、肘当て部２９の前端は自由端になっている。また、本実施形態の肘掛け装置２７は、板材を曲げたような外観を呈している。
【００３３】
図５（Ａ）のとおり、ベース部２８は、座アウターシェル８の下面から斜め後ろ向きに（座アウターシェル８の略対角方向に）延びる姿勢になっている一方、肘当て部２９は、平面視で座アウターシェル８の左右外側において前後長手の姿勢に配置されている。このため、板状の肘支柱部３０は、板部材を平面視で捩じったような状態になっている。
【００３４】
肘掛け装置２７の支柱は座の横に配置することが多いが、本実施形態のように肘支柱部３０を座アウターシェル８の後ろ（コーナー部）に配置すると、座１の左右側方が障害物のないオープン空間になるため、椅子全体としてスッキリしてデザインになる。
【００３５】
肘掛け装置２７のベース部２８は、３本のボルト３１により、補強金具１６を介して座アウターシェル８に固定されている。すなわち、例えば図７（Ｂ）に示すように、補強金具１６の左右端部に三角形状の肘取付け部３２を形成し、肘取付け部３２に挿通したボルト３１により、肘掛け装置２７のベース部２８を座アウターシェル８の後部下面に固定している。従って、補強金具１６の肘取付け部３２と、座アウターシェル８と、肘掛け装置２７のベース部２８との三者がボルト３１によって共締めされている。
【００３６】
図５（Ｂ）に明示するように、補強金具１６の肘取付け部３２が三角形状であることに対応して、３本のボルト３１のうち２本は座アウターシェル８の縦長中心線Ｏの側に位置して前後方向に並んでおり、他の１本は、座アウターシェル８の外縁寄りに位置している。
【００３７】
図８に示すように、肘掛け装置２７のベース部２８に形成したポケット部３３に、ボルト３１がねじ込まれるタップ穴３４を形成したナット板（板ナット）３５が嵌め込まれている。ポケット部３３は、ベース部２８の前端に向けて（座アウターシェル８の中心線Ｏの方向に向いて）開口している。従って、ナット板３５もボルト３１も外部から視認することはできないし、着座した人がベース部２８の下面を手で触っても、ボルト３１などの存在を知ることはできない。なお、ナット板３５は、インサート成型によってベース部２８に埋設してもよい。
【００３８】
座アウターシェル８には、ボルト挿通穴３６が上下に貫通しており、また、肘掛け装置２７のベース部２８にも、上方のみに開口したボルト挿通穴３７が空いているが、これらのボルト挿通穴３６，３７は外部から視認できないので、美観の上での問題はない。また、ナット板３５のタップ穴３４もベース部２８で下方から覆われているため、タップ穴３４も視認できないし、ボルト３１の下端も視認できない。この面でも、美観上の問題はない。
【００３９】
図５以下に示す補強金具１６には、補強のため、左右長手のリブ３８を上向きに膨出形成している。また、いずれの例でも、補強金具１６の肘取付け部３２は、補強金具１６の水平部から斜め上向きに曲がっている。従って、補強金具１６は屈曲している。
【００４０】
(3).まとめ
既述のとおり、本実施形態では、肘掛け装置２７は、座アウターシェル８に上から挿通したボルト３１で固定されているため、ボルト３１の頭やボルト挿通穴３７などが人目に触れることはなくて、優れた美観を確保できる。また、座アウターシェル８とベース部２８とが金属板製の補強金具１６とナット板３５とによって上下から挟み付けられるため、ベース部２８をしっかりと固定して、高い支持強度を確保することができる。
【００４１】
肘掛け装置２７のベース部２８に形成しポケット部３３には、ナット部として六角ナットを配置することも可能であるが、実施形態のように、１枚のナット板３５を配置すると、支持面積が高くなるため高い締結強度を確保できると共に、取り扱いも容易である利点がある。
【００４２】
ナット板３５は、ポケット部３３に挿入しきると、タップ穴３４とボルト挿通穴３６，３７とが同心に揃うように設定し、かつ、ポケット部３３に設けたリブなどにより、簡単には抜け出ない状態に押さえ保持されるようにしておくのが好ましい。
【００４３】
本実施形態では、背もたれ２の連結機能を有する補強金具１６を利用して肘掛け装置２７が固定されているため、組み立ての容易性等の利点を確保しつつ、部材点数の増加を抑制してコストアップを抑制できる。また、設計の自由性も向上する。なお、背もたれ２と補強金具１６との連結態様について述べると、背もたれ２の下端部（前向き部１５）を、ビスで補強金具１６に固定するといったことも可能である。
【００４４】
さて、本実施形態では、肘掛け装置２７の肘当て部２９が、前端を自由端とした片持ち梁状になっているため、図７（Ａ）に示すように、肘当て部２９に作用した下向き荷重は、肘支柱部３０を手前に倒すようなモーメントとして作用し、ベース部２８に対しては、後端を支点にして手前に倒そうとする（座アウターシェル８から剥がそうとする）モーメントとして作用する。
【００４５】
そして、本実施形態のように、３本のボルト３１のうち２本のボルト３１が前後に並んでいると、ベース部２８に作用したモーメントに対して高い抵抗が発揮されるが、２本のボルト３１は、肘取付け部３２のうち剛性が高い内側に位置しているため、モーメントに対する抵抗は更に高くなる。
【００４６】
更に、肘掛け装置２７のベース部２８に対してモーメントが作用すると、補強金具１６には、図７に点線で示す左右長手線３９を中心にして捩じるような外力が作用するが、肘取付け部３２は水平部から曲がっているため、補強金具１６は、屈曲によるリブ効果によってねじり変形し難くなっている。従って、補強金具１６の補強効果を助長される。この面でも、肘掛け装置２７の支持強度を向上できる。
【００４７】
以上、本願発明の実施形態を説明したが、本願発明は他にも様々に具体化できる。例えば、肘掛け装置は、肘当て部を肘支柱部に高さ調節可能な構成した可動タイプとすることも可能である。また、本願発明は、特許文献１のようにベース部を座アウターシェルの前後中途部に固定するタイプにも適用できる。肘掛け装置をアルミダイキャスト品で構成した場合、ナット部として、肘掛け装置のベース部２８にタップ穴を直接形成することも可能である。
【産業上の利用可能性】
【００４８】
本願発明は、椅子に具体化できる。従って、産業上利用できる。
【符号の説明】
【００４９】
１  座
２  背もたれ
８  座アウターシェル
１５  背もたれの前向き部
１６  補強金具
１８  背もたれの連結手段を構成する軸受け部
２０  背支柱
２１  背もたれの連結手段を構成する支軸部
２７  肘掛け装置
２８  ベース部
２９  肘当て部
３０  肘支柱部
３１  ボルト
３２  補強金具の肘取付け部
３３  ポケット部
３４  タップ穴
３５  ナット部を構成するナット板
３６，３７  ボルト挿通穴
【図１】
2020039503.tif 000003
【図２】
2020039503.tif 000004
【図３】
2020039503.tif 000005
【図４】
2020039503.tif 000006
【図５】
2020039503.tif 000007
【図６】
2020039503.tif 000008
【図７】
2020039503.tif 000009
【図８】
2020039503.tif 000010